(57)【要約】  検出部（４２）は、電子的な情報と対応づけられた金券が少なくとも一部利用されたことを検出する。送信部（４４）は、電子的な情報と対応づけられた金券の利用権限を、第２のユーザに設定した第１のユーザを特定する。送信部（４４）は、第２のユーザにより利用される第２のアドレスから第１のユーザにより利用される第１のアドレスに宛てたメッセージの作成又は送信を検出する。送信部（４４）は、メッセージの作成又は送信を検出した場合に、電子的な情報と対応づけられた金券の利用履歴を取得し、メッセージに利用履歴を追加して送信する。
2017168532.tif 000002
【特許請求の範囲】
【請求項１】
電子的な情報と対応づけられた金券が少なくとも一部利用されたことを検出し、
前記電子的な情報と対応づけられた金券の利用権限を、第２のユーザに設定した第１のユーザを特定し、
前記第２のユーザにより利用される第２のアドレスから前記第１のユーザにより利用される第１のアドレスに宛てたメッセージの作成又は送信を検出した場合に、前記電子的な情報と対応づけられた金券の利用履歴を取得し、前記メッセージに前記利用履歴を追加して送信する
処理をコンピュータに実行させることを特徴とする、情報送信方法。
【請求項２】
電子的な情報と対応づけられた金券が少なくとも一部利用されたことを検出し、
前記電子的な情報と対応づけられた金券の利用権限を、第２のユーザに設定した第１のユーザを特定し、
前記第１のユーザのアドレスに宛てたメッセージ送信の要否を問う確認画面を前記第２のユーザが利用する端末の画面に表示させ、
前記端末からメッセージ送信の要を示す入力を受け付けた場合に、前記電子的な情報と対応づけられた金券の利用履歴を取得し、前記端末から受け付けた前記第１のユーザのアドレスに宛てたメッセージとともに、前記利用履歴も送信する
処理をコンピュータに実行させることを特徴とする、情報送信方法。
【請求項３】
前記利用履歴は、前記金券の利用済金額と購入された商品の情報とを含む利用明細又は、金券により購入された商品の名称又は商品の写真であることを特徴とする請求項１又は２に記載の情報送信方法。
【請求項４】
前記利用されたことを検出する処理は、前記電子的な情報と対応づけられた金券が初めて利用されたこと又は、全額が利用されたことを検出することを特徴とする請求項１又は２に記載の情報送信方法。
【請求項５】
前記送信する処理は、前記第２のユーザが利用する端末から前記利用履歴を追加することを許可する旨の信号を受信した場合に、前記メッセージとともに前記利用履歴を追加して、送信することを特徴とする請求項１又は２に記載の情報送信方法。
【請求項６】
前記送信する処理は、前記メッセージと前記利用履歴とともに、利用権限が前記第２のユーザである前記電子的な情報と対応づけられた金券の金額を増額させる操作を受け付ける操作部を前記第１のユーザが利用する端末の画面に表示させることを特徴とする請求項１又は２に記載の情報送信方法。
【請求項７】
第１のユーザ端末における指示に応じて送信された、金銭的価値情報を受信可能な端末におけるメール送信制御方法において、
受信した前記金銭的価値情報に基づく金銭的取引の履歴を記憶部に記憶し、
前記第１のユーザ端末へのメール送信の際に、前記第１のユーザ端末から取得した前記金銭的価値情報に基づく金銭的取引の履歴を前記記憶部から取得して、前記メールの本文又は添付情報として前記第１のユーザ端末に送信する、
処理をコンピュータに実行させることを特徴とするメール送信制御方法。
【請求項８】
前記金銭的価値情報は、利用店舗又は利用施設に応じて金銭的価値が変動し、前記金銭的取引の履歴は、金銭的価値の増加量を示す情報を含む、
ことを特徴とする請求項７に記載のメール送信制御方法。
【請求項９】
電子的な情報と対応づけられた金券が少なくとも一部利用されたことを検出し、
前記電子的な情報と対応づけられた金券の利用権限を、第２のユーザに設定した第１のユーザを特定し、
前記第２のユーザにより利用される第２のアドレスから前記第１のユーザにより利用される第１のアドレスに宛てたメッセージの作成又は送信を検出した場合に、前記電子的な情報と対応づけられた金券の利用履歴を取得し、前記メッセージに前記利用履歴を追加して送信する
処理をコンピュータに実行させることを特徴とする、情報送信プログラム。
【請求項１０】
電子的な情報と対応づけられた金券が少なくとも一部利用されたことを検出し、
前記電子的な情報と対応づけられた金券の利用権限を、第２のユーザに設定した第１のユーザを特定し、
前記第１のユーザのアドレスに宛てたメッセージ送信の要否を問う確認画面を前記第２のユーザが利用する端末の画面に表示させ、
前記端末からメッセージ送信の要を示す入力を受け付けた場合に、前記電子的な情報と対応づけられた金券の利用履歴を取得し、前記端末から受け付けた前記第１のユーザのアドレスに宛てたメッセージとともに、前記利用履歴も送信する
処理をコンピュータに実行させることを特徴とする、情報送信プログラム。
【請求項１１】
第１のユーザ端末における指示に応じて送信された、金銭的価値情報を受信可能な端末におけるメール送信制御方法において、
受信した前記金銭的価値情報に基づく金銭的取引の履歴を記憶部に記憶し、
前記第１のユーザ端末へのメール送信の際に、前記第１のユーザ端末から取得した前記金銭的価値情報に基づく金銭的取引の履歴を前記記憶部から取得して、前記メールの本文又は添付情報として前記第１のユーザ端末に送信する、
処理をコンピュータに実行させることを特徴とするメール送信制御プログラム。
【請求項１２】
電子的な情報と対応づけられた金券が少なくとも一部利用されたことを検出する検出部と、
前記電子的な情報と対応づけられた金券の利用権限を、第２のユーザに設定した第１のユーザを特定し、前記第２のユーザにより利用される第２のアドレスから前記第１のユーザにより利用される第１のアドレスに宛てたメッセージの作成又は送信を検出した場合に、前記電子的な情報と対応づけられた金券の利用履歴を取得し、前記メッセージに前記利用履歴を追加して送信する送信部と、
を有することを特徴とする情報送信システム。
【請求項１３】
電子的な情報と対応づけられた金券が少なくとも一部利用されたことを検出する検出部と、
前記電子的な情報と対応づけられた金券の利用権限を、第２のユーザに設定した第１のユーザを特定し、前記第１のユーザのアドレスに宛てたメッセージ送信の要否を問う確認画面を前記第２のユーザが利用する端末の画面に表示させ、前記端末からメッセージ送信の要を示す入力を受け付けた場合に、前記電子的な情報と対応づけられた金券の利用履歴を取得し、前記端末から受け付けた前記第１のユーザのアドレスに宛てたメッセージとともに、前記利用履歴も送信する送信部と、
を有することを特徴とする情報送信システム。
【請求項１４】
前記情報送信システムは、端末と、前記端末と通信可能に接続されたサーバと、を有し、
前記サーバは、前記検出部と、前記送信部と、を有することを特徴とする請求項１２又は１３に記載の情報送信システム。
【請求項１５】
前記情報送信システムは、端末と、前記端末と通信可能に接続されたサーバと、を有し、
前記端末は、前記検出部と、前記送信部と、を有することを特徴とする請求項１２又は１３に記載の情報送信システム。
【請求項１６】
第１のユーザ端末における指示に応じて送信された、金銭的価値情報を受信可能な端末において、
受信した前記金銭的価値情報に基づく金銭的取引の履歴を記憶部に記憶し、前記第１のユーザ端末へのメール送信の際に、前記第１のユーザ端末から取得した前記金銭的価値情報に基づく金銭的取引の履歴を前記記憶部から取得して、前記メールの本文又は添付情報として前記第１のユーザ端末に送信する、メッセージ管理部を有することを特徴とする端末。
【発明の詳細な説明】
【技術分野】
【０００１】
本発明は、情報送信方法、情報送信プログラム、情報送信システム、メール送信制御方法、メール送信制御プログラムおよび端末に関する。
【背景技術】
【０００２】
従来、金券の贈与者へ、贈与した金券が利用されたことを通知する技術が知られている。
【先行技術文献】
【特許文献】
【０００３】
【特許文献１】特開２０１２−２２１１３０号公報
【発明の概要】
【発明が解決しようとする課題】
【０００４】
ところで、金券がどのような形態で利用されるか、即ち、金券単体で支払が行われるか、お金やクレジットカード等と組み合わせて支払われるかは、金券を利用するユーザの任意な行動によるものである。【０００５】
しかしながら、従来の技術は、特定の形態で金券が利用された場合に限り、金券の贈与元に対して金券が利用されたことを通知するものである。また、従来の技術では、贈与元は、金券が何に利用されたか、即ち、金券を介して何を贈ったことになったかを知ることができない。【０００６】
一つの側面では、本発明は、金券の贈与元に、金券の利用履歴を通知する技術を提供することを目的とする。
【課題を解決するための手段】
【０００７】
第１の案では、情報送信方法は、電子的な情報と対応づけられた金券が少なくとも一部利用されたことを検出し、前記電子的な情報と対応づけられた金券の利用権限を、第２のユーザに設定した第１のユーザを特定し、前記第２のユーザにより利用される第２のアドレスから前記第１のユーザにより利用される第１のアドレスに宛てたメッセージの作成又は送信を検出した場合に、前記電子的な情報と対応づけられた金券の利用履歴を取得し、前記メッセージに前記利用履歴を追加して送信する処理をコンピュータに実行させる。
【発明の効果】
【０００８】
本発明の一の実施態様によれば、金券の贈与元に、金券の利用履歴を通知することができるという効果を奏する。
【図面の簡単な説明】
【０００９】
【図１】図１は、実施例１に係るシステムの概略的な構成の一例を示す図である。
【図２】図２は、金券情報のデータ構成の一例を示す図である。
【図３】図３は、決済情報のデータ構成の一例を示す図である。
【図４】図４は、実施例１に係るユーザ端末の概略的な構成を示す図である。
【図５】図５は、メッセージ受信画面の一例を示す図である。
【図６】図６は、メッセージ送信確認画面の一例を示す図である。
【図７】図７は、実施例１に係るシステムの処理のシーケンスを示す図である。
【図８】図８は、実施例２に係るシステムの処理のシーケンスを示す図である。
【図９】図９は、情報送信プログラムを実行するコンピュータを示す図である。
【発明を実施するための形態】
【００１０】
以下に、本発明に係る情報送信方法、情報送信プログラム、情報送信システム、メール送信制御方法、メール送信制御プログラムおよび端末の実施例を図面に基づいて詳細に説明する。なお、この実施例によりこの発明が限定されるものではない。そして、各実施例は、処理内容を矛盾させない範囲で適宜組み合わせることが可能である。
【実施例１】
【００１１】
［システム構成］
最初に、実施例１に係るシステム１の一例を説明する。図１は、実施例１に係るシステムの概略的な構成の一例を示す図である。システム１は、ユーザに金券や決済に関するサービスを提供するシステムである。本実施例では、例えば、システム１が、金券の販売、金券の譲渡、金券の管理、金券を利用した決済、金券を利用しない決済、およびメッセージの送受信等に関するサービスをユーザに提供する場合を例に説明する。なお、本実施例における金券とは、電子的な情報と対応づけられた金券である。金券は、例えば、文字列で表されたコードで識別されるデータであってもよい。また、金券は、例えば、金券の情報を特定するためのＱＲコード（登録商標）等が印字された紙であってもよい。【００１２】
図１に示すように、システム１は、贈答システム２およびユーザ端末３０を有する。システム１のユーザ端末３０と贈答システム２は、ネットワークを介して通信可能に接続されていている。かかるネットワークの一態様としては、有線又は無線を問わず、ＬＡＮ（Local  Area  Network）やＶＰＮ（Virtual  Private  Network）などの任意の種類の通信網を採用できる。なお、図１の例では、ユーザをユーザＡとユーザＢの２人とし、ユーザ端末３０を２台設けた場合を例示したが、これに限定されず、ユーザおよびユーザ端末３０を任意の数とすることができる。【００１３】
贈答システム２は、金券管理サービスおよび決済サービスをユーザに提供するコンピュータ、またはコンピュータシステムである。贈答システム２は、１台のコンピュータとして実装してもよく、また、複数台のコンピュータにより実装してもよい。なお、本実施例では、贈答システム２を２台のコンピュータ、即ち金券管理装置１０および決済管理装置２０とした場合を例として説明する。なお、金券管理装置１０は、情報送信システムの一例である。【００１４】
ユーザ端末３０は、贈答システム２からサービスの提供を受けるユーザが所持する装置である。例えば、ユーザ端末３０は、スマートフォンやタブレット端末などの携帯端末装置である。また、ユーザ端末３０は、ノートパソコンやパーソナルコンピュータなどのコンピュータであってもよい。また、ユーザは、例えば、ユーザ端末３０に備えられたアプリケーションを介して、各サーバによるサービスの提供を受ける。【００１５】
金券管理装置１０は、ユーザに金券サービスを提供する。金券管理装置１０は、通信Ｉ／Ｆ（インタフェース）部１１、制御部１２および記憶部１３を有する。通信Ｉ／Ｆ部１１は、他の装置との間で通信制御を行うインタフェースである。通信Ｉ／Ｆ部１１は、ネットワークを介して他の装置と各種情報を送受信する。通信Ｉ／Ｆ部１１としては、ＬＡＮカードなどのネットワークインタフェースカードを採用できる。制御部１２は、購入部４０と、譲渡部４１と、検出部４２と、精算部４３と、送信部４４とを有する。【００１６】
記憶部１３は、ハードディスク、ＳＳＤ（Solid  State  Drive）、光ディスクなどの記憶装置である。なお、記憶部１３は、ＲＡＭ（Random  Access  Memory）、フラッシュメモリ、ＮＶＳＲＡＭ（Non  Volatile  Static  Random  Access  Memory）などのデータを書き換え可能な半導体メモリであってもよい。また、記憶部１３は、データの記憶および提供を行うサーバ装置であってもよい。【００１７】
記憶部１３は、各種プログラムを記憶する。また、記憶部１３は、各種プログラムで用いられる各種データを記憶する。例えば、記憶部１３は、金券情報４５を記憶する。【００１８】
金券情報４５は、金券データに関する情報を記憶したデータである。例えば、金券情報４５には、金券データの購入ユーザや残高等が記憶される。図２は、金券情報のデータ構成の一例を示す図である。図２に示すように、金券情報４５は、「金券ＩＤ」、「履歴Ｎｏ」、「購入ユーザ」、「権利所持ユーザ」、「残高」、「購入利用履歴」などの項目を有する。なお、図２に示した金券情報４５の各項目は、一例であり、その他の項目を有してもよい。【００１９】
金券ＩＤの項目は、金券データを識別するＩＤを記憶する領域である。金券ＩＤの項目には、金券購入時に設定される金券データごとの金券ＩＤを記憶させる。履歴Ｎｏの項目は、金券データに対する処理の履歴の通番を記憶する領域である。購入ユーザの項目は、金券データを購入したユーザを記憶する領域である。権利所持ユーザの項目は、金券データを利用する権利を有するユーザを記憶する領域である。残高の項目は、金券データの残高を記憶する領域である。購入利用履歴の項目は、金券データの購入や利用等の履歴が記憶される項目である。購入利用履歴の項目には、金券データの購入、譲渡、利用等に関する情報が記憶される。【００２０】
購入部４０は、ユーザから金券の購入依頼があり、当該ユーザから入金があったことが検出された場合に、金券購入処理を行う。金券購入処理では、購入部４０は、金券ＩＤを発行し、金券の購入依頼を行ったユーザ、購入依頼があった金額等を金券情報４５に登録する。【００２１】
例えば、図２の履歴Ｎｏ「１」のレコードに示すように、ユーザＡから金券￥３０，０００の購入の依頼があった場合、購入部４０は、金券ＩＤ「１０１」を発行し、購入ユーザおよび権利所持ユーザを「ユーザＡ」とし、残高「￥３０，０００」を登録する。【００２２】
譲渡部４１は、ユーザから金券の譲渡依頼があった場合に、金券譲渡処理を行う。金券譲渡処理では、譲渡部４１は、権利所持ユーザを、譲渡元のユーザから譲渡先のユーザに変更する。【００２３】
例えば、図２の履歴Ｎｏ「２」のレコードに示すように、ユーザＡからユーザＢへ、金券ＩＤ「１０１」の金券の譲渡依頼があった場合、譲渡部４１は、権利所持ユーザを「ユーザＡ」から「ユーザＢ」に変更する。なお、図２の例では、譲渡部４１は、履歴Ｎｏ「１」のレコードを残し、履歴Ｎｏ「２」のレコードを追加することとしているが、履歴Ｎｏ「１」のレコードを削除し、履歴Ｎｏ「２」のレコードを追加してもよいし、レコードを追加せずに、履歴Ｎｏ「１」のレコードの権利所持ユーザを「ユーザＢ」に変更してもよい。また、譲渡部４１は、金券の譲渡が行われた旨の説明を、譲渡が行われた日時とともに購入利用履歴に登録する。【００２４】
検出部４２は、金券が少なくとも一部利用されたことを検出する。検出部４２は、ＡＰＩ等により、定期的に決済管理装置２０から情報を取得することで金券の利用を検出するようにしてもよい。また、金券を利用した決済が行われた際に、決済管理装置２０が、検出部４２に決済に関する情報を送信するようにしてもよい。例えば、検出部４２は、金券が購入又は譲渡の後、初めて利用されたことを検出する。また例えば、検出部４２は、金券が購入又は譲渡の後、全額が利用されきった、即ち残高が０になったことを検出する。【００２５】
精算部４３は、検出部４２によって金券を利用した決済が行われたことが検出された場合に、精算処理を行う。精算処理では、精算部４３は、利用された金券の残高を減じ、購入利用履歴を登録する。【００２６】
例えば、図２の履歴Ｎｏ「３」のレコードに示すように、洋服店Ａで金券を利用して￥３，５００のベビー服が購入されたことが検出部４２によって検出された場合、精算部４３は、残高を￥３，５００だけ減じ￥２６，５００とする。なお、譲渡部４１の場合と同様に、精算部４３は、レコードを追加してもよいし追加しなくてもよい。また、精算部４３は、金券が利用された購入店や購入物品等の情報を、利用された日時とともに購入利用履歴に登録する。【００２７】
送信部４４は、ユーザ端末３０にメッセージ等を送信する。検出部４２によって金券の利用が検出された場合、まず、送信部４４は、金券の利用権限を第２のユーザに設定した第１のユーザを特定する。そして、送信部４４は、第２のユーザにより利用される第２のアドレスから第１のユーザにより利用される第１のアドレスに宛てたメッセージの作成又は送信を検出した場合に、金券の利用履歴を取得し、メッセージに取得した利用履歴を追加して送信する。【００２８】
例えば、図２の履歴Ｎｏ「３」のレコードに示す金券の利用が検出部４２によって検出された場合、まず、送信部４４は、金券の利用権限をユーザＢに設定したユーザＡを特定する。そして、送信部４４は、例えば、ユーザＢのメールアドレスからユーザＡのメールアドレスに宛てたメッセージの作成又は送信を検出した場合に、金券情報４５から金券の利用履歴を取得し、メッセージに取得した利用履歴を追加して送信する。【００２９】
また、検出部４２によって金券の利用が検出された場合、送信部４４は、第１のユーザのアドレスに宛てたメッセージ送信の要否を問う確認画面を第２のユーザが利用する端末の画面に表示させてもよい。この場合、第２のユーザが利用する端末からメッセージ送信の要を示す入力を受け付けた場合に、送信部４４は、金券の利用履歴を取得する。そして、送信部４４は、第２のユーザが利用する端末から受け付けた第１のユーザのアドレスに宛てたメッセージとともに、取得した利用履歴も送信する。【００３０】
例えば、図２の履歴Ｎｏ「３」のレコードに示す金券の利用が検出部４２によって検出された場合、まず、送信部４４は、ユーザＡのアドレスに宛てたメッセージ送信の要否を問う確認画面をユーザＢのユーザ端末３０の画面に表示させてもよい。この場合、ユーザＢのユーザ端末３０からメッセージ送信の要を示す入力を受け付けた場合に、送信部４４は、金券情報４５から金券の利用履歴を取得する。そして、送信部４４は、ユーザＢのユーザ端末３０から受け付けたユーザＡのアドレスに宛てたメッセージとともに、取得した利用履歴も送信する。【００３１】
また、送信部４４は、例えば、利用履歴として、金券の利用済金額と購入された商品の情報とを含む利用明細又は、金券により購入された商品の名称又は商品の写真を送信する。【００３２】
送信部４４が利用履歴を送信した後、さらに検出部４２によって金券の利用が検出されることが考えられる。この場合、送信部４４は、ユーザＢのユーザ端末３０から利用履歴を追加することを許可する旨の信号を受信した場合に、メッセージとともに利用履歴を追加してユーザＡのユーザ端末３０に送信するようにしてもよい。【００３３】
決済管理装置２０は、ユーザに決済サービスを提供する。決済管理装置２０は、通信Ｉ／Ｆ部２１、制御部２２および記憶部２３を有する。通信Ｉ／Ｆ部２１は、他の装置との間で通信制御を行うインタフェースである。通信Ｉ／Ｆ部２１は、ネットワークを介して他の装置と各種情報を送受信する。通信Ｉ／Ｆ部２１としては、ＬＡＮカードなどのネットワークインタフェースカードを採用できる。制御部２２は、決済部５０を有する。【００３４】
記憶部２３は、ハードディスク、ＳＳＤ、光ディスクなどの記憶装置である。なお、記憶部２３は、ＲＡＭ、フラッシュメモリ、ＮＶＳＲＡＭなどのデータを書き換え可能な半導体メモリであってもよい。また、記憶部２３は、データの記憶および提供を行うサーバ装置であってもよい。【００３５】
記憶部２３は、各種プログラムを記憶する。また、記憶部２３は、各種プログラムで用いられる各種データを記憶する。例えば、記憶部２３は、決済情報５１を記憶する。【００３６】
決済情報５１は、決済に関する情報を記憶したデータである。例えば、決済情報５１には、決済を行ったユーザ決済が行われた店舗や決済金額等が記憶される。図３は、決済情報のデータ構成の一例を示す図である。図３に示すように、決済情報５１は、「決済Ｎｏ」、「購入ユーザ」、「購入店」、「精算金額」、「購入物品」、「購入日時」、「支払方法」などの項目を有する。なお、図３に示した決済情報５１の各項目は、一例であり、その他の項目を有してもよい。【００３７】
決済Ｎｏの項目は、決済履歴の通番を記憶する領域である。購入ユーザの項目は、決済を行ったユーザを記憶する領域である。購入店の項目は、決済が行われた店舗を記憶する領域である。購入物品の項目は、決済により購入された物品を記憶する領域である。購入日時の項目は、決済が行われた日時を記憶する領域である。支払方法の項目は、決済がどのような支払方法によって行われたかを記憶する領域である。【００３８】
決済部５０は、ユーザが決済を行った場合、即ちユーザから決済依頼があった場合に、決済処理を行う。決済処理では、決済部５０は、決済情報５１に記憶されているデータを更新する。なお、決済部５０は、少なくとも金券管理装置１０によって発行された金券を利用した決済について決済処理を行う。決済部５０は、金券管理装置１０によって発行された金券を利用しない決済については、決済処理を行うこととしてもよいし、行わないこととしてもよい。【００３９】
例えば、図３の決済Ｎｏ「１」のレコードに示すように、２０１６／３／３  １０：４５にユーザＢが洋服店Ａで金券を利用して￥３，５００のベビー服を購入した場合、決済部５０は、精算金額を￥３，５００、購入物品を「ベビー服」、購入日時を「２０１６／３／３  １０：４５」、支払方法を「金券（金券ＩＤ：１０１）」としてデータを登録する。【００４０】
また、図３の決済Ｎｏ「２」のレコードに示すように、２０１６／３／３  １２：３０にユーザＢが雑貨店Ｂで金券を利用せずにクレジットカードで￥５，０００のおむつを購入した場合、決済部５０は、精算金額を￥５，０００、購入物品を「おむつ」、購入日時を「２０１６／３／３  １２：３０」、支払方法を「クレジットカード」としてデータを登録する。【００４１】
ここで、ユーザ端末３０の構成について説明する。図４は、実施例１に係るユーザ端末の概略的な構成を示す図である。ユーザ端末３０は、通信Ｉ／Ｆ部３１、入力部３２、表示部３３、制御部３４および記憶部３５を有する。通信Ｉ／Ｆ部３１は、他の装置との間で通信制御を行うインタフェースである。通信Ｉ／Ｆ部３１は、ネットワークを介して他の装置と各種情報を送受信する。通信Ｉ／Ｆ部３１としては、ＬＡＮカードなどのネットワークインタフェースカードを採用できる。制御部３４は、金券管理部６０、決済部６１およびメッセージ管理部６２を有する。【００４２】
記憶部３５は、ハードディスク、ＳＳＤ、光ディスクなどの記憶装置である。なお、記憶部３５は、ＲＡＭ、フラッシュメモリ、ＮＶＳＲＡＭなどのデータを書き換え可能な半導体メモリであってもよい。記憶部３５は、各種プログラムを記憶する。また、記憶部３５は、各種プログラムで用いられる各種データを記憶する。【００４３】
金券管理部６０は、金券管理装置１０に、金券の購入依頼や譲渡依頼を行う。例えば、金券管理部６０は、金券の購入依頼を行う場合、金券を購入するユーザに関する情報、購入する金券の金額等を金券管理装置１０に送信する。また、金券管理部６０は、金券の譲渡依頼を行う場合、金券の譲渡元のユーザに関する情報、金券の譲渡先のユーザに関する情報、譲渡する金券の金額等を金券管理装置１０に送信する。【００４４】
決済部６１は、決済管理装置２０に、決済依頼を行う。例えば、ユーザが決済を行う場合、決済部６１は、支払いに関する情報、即ちユーザの口座、クレジットカード、又は金券等の情報を決済管理装置２０に送信する。また、このとき、決済部６１は、購入店舗や購入物品の情報を決済管理装置２０に送信する。【００４５】
メッセージ管理部６２は、メッセージの送受信および表示を行う。なお、メッセージ管理部６２は、メーラであってもよいし、金券サービス専用のアプリケーション等であってもよい。【００４６】
メッセージ管理部６２は、金券管理装置１０の送信部４４によって送信された、メッセージおよび金券の利用履歴を表示する。図５は、メッセージ受信画面の一例を示す図である。図５に示すように、金券を譲渡したユーザのユーザ端末３０に表示されるメッセージ受信画面１００は、メッセージ一覧のうち、選択されたメッセージのタイトルおよび受信日時を表示する選択メッセージ表示領域１０１を有する。また、メッセージ受信画面１００は、メッセージを表示するメッセージ表示領域１０２と、メッセージに添付されたファイルを表示する添付ファイル表示領域１０３とを有する。また、メッセージ受信画面１００は、金券の利用履歴を表示する金券利用履歴表示領域１０４と、金券に関する案内等を表示する金券情報表示領域１０５とを有する。【００４７】
図５は、例えば、姉が購入した金券を出産祝いとして妹に譲渡し、妹が譲渡された金券を利用した後、姉にお礼のメッセージを送った場合の、姉が利用する端末に表示される画面の例である。図５の例では、選択メッセージ表示領域１０１に示されているように、タイトルが「お姉さん、ありがとう」であるメッセージが選択されている。そして、メッセージ表示領域１０２には、金券を利用してベビー用品を購入した旨、およびお礼のメッセージが示されている。また、添付ファイル表示領域１０３には、メッセージに添付された家族写真が表示されている。【００４８】
また、金券利用履歴表示領域１０４には、譲渡された金券の利用明細および利用した金券の合計金額が表示されている。また、金券情報表示領域１０５には、金券が全額使用された旨のメッセージとともに、金券の購入又は譲渡を追加で依頼する処理を実行するためのリンクが示されている。【００４９】
金券情報表示領域１０５の「ここ」と表示されたリンクは、操作部の一例である。例えば、ユーザＡが金券情報表示領域１０５の「ここ」をクリックした場合、金券管理部６０が起動し、金券の購入又は譲渡を行うことができる。そして、ユーザＡは、購入又は譲渡によって、利用権限がユーザＢである金券の金額を増額させる。【００５０】
また、メッセージ管理部６２は、金券管理装置１０の送信部４４によって表示制御される、メッセージ送信の要否を問う確認画面を表示する。図６は、メッセージ送信確認画面の一例を示す図である。決済内容通知画面２００は、決済管理装置２０によって決済処理が行われた後、金券を譲渡された、即ち金券を利用したユーザのユーザ端末３０に表示される。このとき、メッセージ送信確認画面２０１が、ダイアログとして決済内容通知画面２００上にポップアップ表示される。決済内容通知画面２００は、メッセージ送信の要否を問うメッセージを表示するとともに、送信ボタン２０２およびキャンセルボタン２０３を表示する。【００５１】
送信ボタン２０２が押下された場合、メッセージ管理部６２は、金券管理装置１０にメッセージの送信を依頼する。また、キャンセルボタン２０３が押下された場合、メッセージ管理部６２は、金券管理装置１０にメッセージの送信を送信せず、メッセージ送信確認画面２０１を閉じる。【００５２】
［処理の流れ］
次に、本実施例に係るシステム１の処理の流れを説明する。図７は、実施例１に係るシステムの処理のシーケンスを示す図である。図７に示すように、ユーザＡのユーザ端末３０の金券管理部６０は、ユーザＡの操作により、金券管理装置１０に金券の購入を依頼する（Ｓ１０）。次に、金券管理装置１０の購入部４０は、ユーザＡを権利所持ユーザとする金券の金券購入処理を行う（Ｓ１１）。【００５３】
そして、ユーザＡのユーザ端末３０の金券管理部６０は、ユーザＡの操作により、金券管理装置１０に金券の譲渡を依頼する（Ｓ１２）。次に、金券管理装置１０の譲渡部４１は、金券の権利所持ユーザをユーザＡからユーザＢに変更する金券譲渡処理を行う（Ｓ１３）。【００５４】
そして、ユーザＢのユーザ端末３０の決済部５０は、ユーザＢの操作により、決済管理装置２０に金券を利用した決済を依頼する（Ｓ１４）。次に、決済管理装置２０の決済部５０は、決済処理を行う（Ｓ１５）。ここで、決済管理装置２０は、金券を利用した決済が行われたことを金券管理装置１０に通知する（Ｓ１６）。そして、金券管理装置１０の検出部４２は、金券を利用した決済が行われた最初の決済を検出する（Ｓ１７）。このとき、精算部４３は、精算処理を行う。【００５５】
次に、送信部４４は、ユーザＢのユーザ端末３０に、メッセージ送信の要否を確認する（Ｓ１８）。そして、ユーザＢがメッセージの送信を許可した場合（Ｓ１９、Ｓ２０肯定）、送信部４４は、ユーザ端末３０にメッセージの作成を依頼する（Ｓ２１）。また、ユーザＢがメッセージの送信を許可しなかった場合（Ｓ１９、Ｓ２０否定）、システム１は処理を終了する。【００５６】
次に、ユーザＢのユーザ端末３０は、ユーザＢの操作によってメッセージを作成し（Ｓ２２）、作成したメッセージを金券管理装置１０の送信部４４へ送信する（Ｓ２３）。そして、送信部４４はメッセージを金券の利用履歴とともにユーザＡのユーザ端末３０へ送信する（Ｓ２４）。【００５７】
また、Ｓ１７〜Ｓ２３の処理は、実行されなくてもよい。この場合、金券管理装置１０は、金券を利用した決済が検出されると、ユーザＢにメッセージの送信の要否を確認することや、メッセージを作成させることを行わない。この場合、金券管理装置１０は、例えば、あらかじめ設定された定型文等のメッセージを金券の利用履歴とともにユーザＡのユーザ端末３０へ送信する。【００５８】
［効果］
本実施例に係る金券管理装置１０は、電子的な情報と対応づけられた金券が少なくとも一部利用されたことを検出する。金券管理装置１０は、電子的な情報と対応づけられた金券の利用権限を、第２のユーザに設定した第１のユーザを特定する。金券管理装置１０は、第２のユーザにより利用される第２のアドレスから第１のユーザにより利用される第１のアドレスに宛てたメッセージの作成又は送信を検出する。金券管理装置１０は、メッセージの作成又は送信を検出した場合に、電子的な情報と対応づけられた金券の利用履歴を取得し、メッセージに利用履歴を追加して送信する。これにより、第１のユーザ、即ち金券の贈与元に、金券の利用履歴を通知することが可能になる。利用履歴を通知することで、贈与相手に対して金券を介して何を贈ったことになったかを金券の贈与元に知らしめることができる。【００５９】
また、金券管理装置１０は、電子的な情報と対応づけられた金券が少なくとも一部利用されたことを検出する。金券管理装置１０は、電子的な情報と対応づけられた金券の利用権限を、第２のユーザに設定した第１のユーザを特定する。金券管理装置１０は、第１のユーザのアドレスに宛てたメッセージ送信の要否を問う確認画面を第２のユーザが利用する端末の画面に表示させる。金券管理装置１０は、端末からメッセージ送信の要を示す入力を受け付けた場合に、電子的な情報と対応づけられた金券の利用履歴を取得し、端末から受け付けた第１のユーザのアドレスに宛てたメッセージとともに、利用履歴も送信する。【００６０】
これにより、第１のユーザ、即ち金券の贈与元に、金券を介して何を贈ったことになったかを知らしめることができる。また、メッセージおよび金券の利用履歴を第１のユーザに知らしめるか否かを、第２のユーザが任意に決定することができる。【００６１】
また、金券管理装置１０の検出部４２は、金券が購入又は譲渡の後、初めて利用されたことを検出するようにしてもよい。これにより、第１のユーザに、金券が実際に使われ始めたことを知らしめることができる。【００６２】
また、金券管理装置１０は、利用履歴として、金券の利用済金額と購入された商品の情報とを含む利用明細又は、金券により購入された商品の名称又は商品の写真を送信してもよい。このように、利用履歴として送信する情報は、ユーザの設定等により内容を決定することができる。【００６３】
利用履歴を送信した後、さらに金券の利用を検出された場合、金券管理装置１０は、第２のユーザが利用する端末から利用履歴を追加することを許可する旨の信号を受信した場合に、メッセージとともに利用履歴を追加して第１のユーザが利用する端末に送信するようにしてもよい。これにより、追加で利用履歴を送るか否かを、第２のユーザが任意に決定することができる。【００６４】
なお、本実施例に係る金券管理装置１０が上記の効果を奏するためには、金券管理装置１０は、図１に示す全ての構成要素を有していなくてもよい。例えば、金券管理装置１０は、少なくとも検出部４２および送信部４４を有していればよい。この場合、例えば、購入部４０、譲渡部４１、精算部４３、記憶部１３等は、金券管理装置１０接続された他の装置に備えられる。
【実施例２】
【００６５】
さて、これまで開示の装置に関する実施例について説明したが、開示の技術は上述した実施例以外にも、種々の異なる形態にて実施されてよいものである。そこで、以下では、本発明に含まれる他の実施例を説明する。【００６６】
例えば、上記の実施例では、金券管理装置１０の検出部４２は、金券が購入又は譲渡の後、初めて利用されたことを検出する場合を例に説明したが、検出部４２は、金券が全額利用されたことを検知するようにしてもよい。【００６７】
図８は、実施例２に係るシステムの処理のシーケンスを示す図である。図８のＳ５０〜Ｓ５６の処理は、図７のＳ１０〜Ｓ１６の処理と同様であるため、説明を省略する。そして、金券を利用した決済が行われたことが決済管理装置２０から金券管理装置１０に通知されたた際、金券管理装置１０の検出部４２は、金券を利用した決済が行われたことを検出する（Ｓ５７）。【００６８】
ここで、検出部４２によって検出された決済により、金券が全額利用されておらず、残高が残っている場合（Ｓ５８否定）、金券管理装置１０は、次の決済が検出されるまで待機する。【００６９】
一方、検出部４２によって検出された決済により、金券が全額利用されていた場合（Ｓ５８肯定）、送信部４４は、ユーザＢのユーザ端末３０に、メッセージ送信の要否を確認する（Ｓ５９）。そして、ユーザＢがメッセージの送信を許可した場合（Ｓ６０、Ｓ６１肯定）、送信部４４は、ユーザ端末３０にメッセージの作成を依頼する（Ｓ６２）。また、ユーザＢがメッセージの送信を許可しなかった場合（Ｓ６０、Ｓ６１否定）、システム１は処理を終了する。【００７０】
次に、ユーザＢのユーザ端末３０は、ユーザＢの操作によってメッセージを作成し（Ｓ６３）、作成したメッセージを金券管理装置１０の送信部４４へ送信する（Ｓ６４）。そして、送信部４４はメッセージを金券の利用履歴とともにユーザＡのユーザ端末３０へ送信する（Ｓ６５）。【００７１】
これにより、金券が全額使い切られたことを、ユーザＡに知らしめることができる。また、金券を全額利用した場合にメッセージおよび利用履歴が送信されるため、決済ごとにメッセージおよび利用履歴が送信される場合に比べ、送信処理の回数を低減させることができる。【００７２】
また、上記実施例において金券管理装置１０で行われることとした処理の一部又は全部を、ユーザ端末３０で行われるようにしてもよい。例えば、金券管理装置１０の検出部４２および送信部４４と同様の処理が、ユーザＢのユーザ端末３０で行われるようにしてもよい。【００７３】
この場合、ユーザ端末３０は、ユーザＡのユーザ端末３０の指示に応じて送信された金銭的価値情報即ち金券の、金銭的取引の履歴即ち金券の利用履歴を金券情報４５に記憶させる。そして、ユーザＢのユーザ端末３０は、ユーザＡのユーザ端末３０へメール送信を行う際に、金券情報４５から金券の利用履歴を取得し、取得した金券の利用履歴をメールの本文又は添付情報とする。【００７４】
また、金券の価値は、利用店舗又は利用施設に応じて変動するようにしてもよい。この場合、金券情報４５に記憶される金券の利用履歴には、金券の価値の増加量が含まれる。これにより、金券の履歴情報に金券の価値の増加量を含めることでき、ユーザＡに、ユーザＢが金券をより有効に利用していることを知らしめることができる。【００７５】
例えば、家具店Ｃでは金券の価値が２倍になることがあらかじめ定められている場合、図２の履歴Ｎｏ「４」のレコードの購入利用履歴には、「金券￥１２，５００を利用し、家具店Ｃで￥２５，０００のベビーベッドを購入（金券価値増加特典：￥１２，５００）」が登録される。また、この場合残高は￥１４，０００となる。【００７６】
また、図示した各装置の各構成要素は機能概念的なものであり、必ずしも物理的に図示の如く構成されていることを要しない。即ち、各装置の分散・統合の具体的状態は図示のものに限られず、その全部又は一部を、各種の負荷や使用状況などに応じて、任意の単位で機能的又は物理的に分散・統合して構成することができる。例えば、金券管理装置１０の購入部４０、譲渡部４１、検出部４２、精算部４３および送信部４４の各処理部が適宜統合又は分割されてもよい。また、各処理部にて行われる各処理機能は、その全部又は任意の一部が、ＣＰＵ及び該ＣＰＵにて解析実行されるプログラムにて実現され、あるいは、ワイヤードロジックによるハードウェアとして実現され得る。【００７７】
［情報送信プログラム］
また、上記の実施例で説明した各種の処理は、あらかじめ用意されたプログラムをパーソナルコンピュータやワークステーションなどのコンピュータシステムで実行することによって実現することもできる。そこで、以下では、上記の実施例と同様の機能を有するプログラムを実行するコンピュータシステムの一例を説明する。図９は、情報送信プログラムを実行するコンピュータを示す図である。【００７８】
図９に示すように、コンピュータ３００は、ＣＰＵ３１０、ＨＤＤ（Hard  Disk  Drive）３２０、ＲＡＭ（Random  Access  Memory）３４０を有する。これら３１０〜３４０の各部は、バス４００を介して接続される。【００７９】
ＨＤＤ３２０には上記実施例の各処理部と同様の機能を発揮する情報送信プログラム３２０ａがあらかじめ記憶される。例えば、上記実施例の金券管理装置１０の検出部４２および送信部４４と同様の機能を発揮する情報送信プログラム３２０ａを記憶させる。なお、情報送信プログラム３２０ａについては、適宜分離しても良い。【００８０】
また、ＨＤＤ３２０は、各種データを記憶する。例えば、ＨＤＤ３２０は、ＯＳや各種データを記憶する。【００８１】
そして、ＣＰＵ３１０が、情報送信プログラム３２０ａをＨＤＤ３２０から読み出して実行することで、実施例の金券管理装置１０の検出部４２および送信部４４と同様の動作を実行する。即ち、情報送信プログラム３２０ａは、実施例の金券管理装置１０の検出部４２および送信部４４と同様の動作を実行する。【００８２】
なお、上記した情報送信プログラム３２０ａについては、必ずしも最初からＨＤＤ３２０に記憶させることを要しない。例えば、コンピュータ３００に挿入されるフレキシブルディスク（ＦＤ）、Compact  Disk  Read  Only  Memory（ＣＤ−ＲＯＭ）、Digital  Versatile  Disk（ＤＶＤ）、光磁気ディスク、ＩＣカードなどの「可搬用の物理媒体」にプログラムを記憶させておく。そして、コンピュータ３００がこれらからプログラムを読み出して実行するようにしてもよい。【００８３】
さらには、公衆回線、インターネット、ＬＡＮ、ＷＡＮなどを介してコンピュータ３００に接続される「他のコンピュータ（又はサーバ）」などにプログラムを記憶させておく。そして、コンピュータ３００がこれらからプログラムを読み出して実行するようにしてもよい。
【符号の説明】
【００８４】
１  システム
２  贈答システム
１０  金券管理装置
１１、２１、３１  通信Ｉ／Ｆ部
１２、２２、３４  制御部
１３、２３、３５  記憶部
３０  ユーザ端末
３２  入力部
３３  表示部
４０  購入部
４１  譲渡部
４２  検出部
４３  精算部
４４  送信部
４５  金券情報
５０、６１  決済部
５１  決済情報
６０  金券管理部
６２  メッセージ管理部
【図１】
2017168532.tif 000003
【図２】
2017168532.tif 000004
【図３】
2017168532.tif 000005
【図４】
2017168532.tif 000006
【図５】
2017168532.tif 000007
【図６】
2017168532.tif 000008
【図７】
2017168532.tif 000009
【図８】
2017168532.tif 000010
【図９】
2017168532.tif 000011
【国際調査報告】
2017168532.tif 000012
2017168532.tif 000013